【事件の表示】
　特許第３１２０６８５号「投射型画像表示装置」の請求項１、２に係る特許に対する特許異議の申立てについて、次のとおり決定する。
【結　論】
　訂正を認める。
　特許第３１２０６８５号の請求項１ないし２に係る特許を維持する。
【理　由】
１．手続の経緯
　特許第３１２０６８５号の請求項１及び２に係る発明についての出願は、平成７年２月２３日に特許出願されたものであって、平成１２年１０月２０日にその特許の設定の登録がなされ、その後、原田清悟により特許異議の申立がなされ、取消理由通知がなされ、その指定期間内の平成１３年１１月１２日付けで訂正請求がなされ、再度取消理由通知が成され、平成１３年１２月２５日付けで訂正請求がなされるとともに、平成１３年１１月１２日付け訂正請求が取り下げられたものである。
　
２．訂正の適否について
２−１．訂正の内容
　ａ．特許明細書の特許請求の範囲の【請求項１】の記載を以下の通り訂正する。
「光源側からの光を偏光板と液晶パネルに入射させ画像表示を行う投射型画像表示装置において、上記液晶パネルと上記偏光板を互いに離間させて配し、冷却ファンからの冷却風を上記液晶パネルと上記偏光板の方向に導く第１の案内板と、該第１の案内板により導かれた冷却風の吹き出し口に、該第１の案内板により導かれた冷却風を上記液晶パネルと上記偏光板とに分配するための分配案内板を備え、上記分配案内板によって該分配案内板真下に強い風速の冷却風を形成し、該冷却風を上記分配案内板下流に設けられた上記偏光板に当てるように構成したことを特徴とする投射型画像表示装置。」
　ｂ．特許明細書の【０００９】（特許公報第２頁右欄３０行〜３８行）の記載を、以下の通り訂正する。
「本発明は、光源側からの光を偏光板と液晶パネルに入射させ画像表示を行う投射型画像表示装置において、上記液晶パネルと上記偏光板を互いに離間させて配し、冷却ファンからの冷却風を上記液晶パネルと上記偏光板の方向に導く第１の案内板と、該第１の案内板により導かれた冷却風の吹き出し口に、該第１の案内板により導かれた冷却風を上記液晶パネルと上記偏光板とに分配するための分配案内板を備え、上記分配案内板によって該分配案内板真下に強い風速の冷却風を形成し、該冷却風を上記分配案内板下流に設けられた上記偏光板に当てる構成とする。」
　
２−２．訂正の目的の適否、新規事項の有無及び拡張・変更の存否
　訂正事項ａは、分配案内板が、「冷却ファンからの冷却風を液晶パネルと偏光板の方向に導く第１の案内板と、該第１の案内板により導かれた冷却風の吹き出し口に、該第１の案内板により導かれた冷却風を上記液晶パネルと上記偏光板とに分配する」ためのものであることを限定し、案内板と分配案内板の関係を明確にしたものであるから、特許請求の範囲の減縮を目的とするものである。そして、この限定は、特許明細書【００２１】乃至【００２３】および図６，図７に記載された事項の範囲内のものであるから、願書に添付した明細書又は図面に記載された事項の範囲内のものであり、実質的に特許請求の範囲を拡張し、又は変更するものではない。
　又、訂正事項ｂは、特許請求の範囲の限定に伴いそれとの整合を図るため、発明の詳細な説明の【課題を解決するための手段】の欄を訂正するもので、明瞭でない記載の釈明に該当する。そして、これらは、願書に添付した明細書に記載された事項の範囲内のものであり、実質的に特許請求の範囲を拡張し、又は変更するものではない。
　
２−３．むすび
　したがって、上記訂正は、特許法第１２０条の４第２項並びに第３項で準用する特許法第１２６条第２項及び第３項の規定に適合するので、当該訂正を認める。
　
３．特許異議申立の理由の概要
　特許異議申立人は、本件の請求項１及び２に係る発明は、甲第１号証及び甲第２号証に記載された発明に基づいて当業者が容易に発明することができたものであり、また、請求項１及び２に係る発明は、甲第３号証に記載された発明であるか、それに基づいて当業者が容易に発明することができたものであるから、特許法第２９条第１項第３号又は同条第２項の規定により特許を受けることができないものであり、取り消すべきである、旨主張している。
　
４．当審の判断
４−１．本件発明
　訂正された本件の請求項１及び２に係る発明（以下「本件発明１及び２」という。）は、訂正明細書の特許請求の範囲の請求項１及び２に記載された事項により特定される次のとおりのものである。
「【請求項１】光源側からの光を偏光板と液晶パネルに入射させ画像表示を行う投射型画像表示装置において、上記液晶パネルと上記偏光板を互いに離間させて配し、冷却ファンからの冷却風を上記液晶パネルと上記偏光板の方向に導く第１の案内板と、該第１の案内板により導かれた冷却風の吹き出し口に、該第１の案内板により導かれた冷却風を上記液晶パネルと上記偏光板とに分配するための分配案内板を備え、上記分配案内板によって該分配案内板真下に強い風速の冷却風を形成し、該冷却風を上記分配案内板下流に設けられた上記偏光板に当てるように構成したことを特徴とする投射型画像表示装置。
【請求項２】 上記分配案内板は、Ｒ，Ｇ，Ｂに対応した液晶パネル及び偏光板のうちの少なくともいずれか１つに設けられる請求項１に記載の投射型画像表示装置。」
　
４−２．刊行物記載の発明
　特許異議申立人の提出したこの出願前公知の刊行物である甲第１号証；特開平４−２３６５８７号公報には、次の記載が認められる。
「【０００７】
　光源10にはメタルハライドランプが使用されるため、キャビネット60の内部は高温になる。特に各液晶パネル31Ｒ、31Ｇ、31Ｂに入射された各成分ＬＲ、ＬＧ、ＬＢによる発熱は、液晶パネル31Ｒ、31Ｇ、31Ｂの性能を低下させるので、液晶パネル31Ｒ、31Ｇ、31Ｂの冷却が必要になる。このための冷却機構50は、キャビネット60の側面の略中央部に設けられた軸流ファン51と、この軸流ファン51を回転駆動させるモータ (図示省略) とを有している。キャビネット60の側面には、各液晶パネル31Ｒ、31Ｇ、31Ｂに対応した開口61〜63（但し、図５では液晶パネル31Ｒに対応した開口62は示されていない) が開設されており、この開口61〜63を介して冷却風Ｗがキャビネット60の内部に導かれる。
【０００９】
　本発明は上記事情に鑑みて創案されたもので、３つの液晶パネルを効率よく冷却することができる冷却機構を有する投影型映像表示装置を提供することを目的としている。
【００１２】
　本実施例に係る投影型映像表示装置は、図外のスクリーンに投影すべき画像が表示される３つの液晶パネル31Ｒ、31Ｇ、31Ｂと、この液晶パネル31Ｒ、31Ｇ、31Ｂに光源光Ｌを投射する光源10と、前記液晶パネル31Ｒ、31Ｇ、31Ｂを冷却する冷却機構70とを備えており、前記冷却機構70はクロスフローファン71と、このクロスフローファン71からの冷却風Ｗを液晶パネル31Ｒ、31Ｇ、31Ｂに導く導風板72とを有している。
【００１４】
  ３つの液晶パネル31Ｒ、31Ｇ、31Ｂは、投影すべき画像をＲ、Ｇ、Ｂの３色に対応して分解した画像を表示するようになっている。各液晶パネル31Ｒ、31Ｇ、31Ｂの入射側には偏光板32Ｒ、32Ｇ、32Ｂが設けられている。
【００１５】
  キャビネット60の側面には、３つの液晶パネル31Ｒ、31Ｇ、31Ｂのそれぞれに対応した長方形の３つの開口61〜63が開設されている。このうち、光源光Ｌの成分Ｂが入射される液晶パネル31Ｒに対応した開口61の長辺の両端には、導風板72a 、72b が開口61に対して略漏斗状になるように取り付けられている。また、光源光Ｌの成分Ｇが入射される液晶パネル31Ｒに対応した開口63の長辺の片側には、開口63の縁部に対して傾斜した状態で導風板72c が取り付けられている。」
　上記によれば、甲第１号証には、
「入射側に偏光板を有する、Ｒ、Ｇ、Ｂの各液晶パネルが設置されたキャビネットに、各液晶パネルに対応した開口が開設され、クロスフローファンからの冷却風を液晶パネルに導く導風板が前記開口に対して漏斗状になるように取り付けられた投影型映像表示装置」
の発明が記載されている。
　　
　同じく、甲第２号証；特開平１−２８９９１２号公報には、
「光源からの出射光を光学系手段により導き、液晶ライトバルブにより画像を形成し、投写レンズにより前記画像を拡大投写する表示装置において、前記液晶ライトバルブの下部に位置し前記液晶ライトバルブに係る偏光板の冷却手段を包含する基台を配し、前記液晶ライトバルブの位置調整及び固定を目的とするガイド板に導風構造を設け、前記基台の上部に前記導風構造と相対位置を成す通風孔を設けたことを特徴とする表示装置。」（特許請求の範囲）、
「基台８は又、その上部の導風構造１０Ｒとの相対位置に通風孔９Ｒを有し、冷却ファン７によって生じた風をその通風孔９Ｒに収束させる。通風孔９Ｒに収束した風は真上に吹き上がる風と冷却ファン７の回転中心から外へ逃げようとする風とに別れ、前者は液晶ライトバルブ３Ｒと出射側偏光板１３Ｒとの間及び液晶ライトバルブ３Ｒと入射側偏光板１２Ｒとの間を通り偏光板１２Ｒ、１３Ｒ表面の熱を奪ってアッププレート１４に設けられた穴より上部に吹き抜ける。後者はガイド板６Ｒに設けられた導風構造１０Ｒによってその方向を偏光板１２Ｒ方向に変えられ、ガイド板６Ｒの中央の光の入射用窓１５Ｒを通って偏光板１２Ｒ表面の熱を奪い、偏光板１２Ｒによって方向を変えられて外部へ吹き抜ける。これらの風の流れを模式的に表すと第４図のようになる。」（３頁左上欄３〜１９行）と記載されている。
　
　同じく、甲第３号証；国際公開第９２／１５０４１号パンフレットには、光源側からの光を偏光板と液晶パネルに入射させ画像表示を行う投射型液晶プロジェクタの液晶パネル冷却構造に関し、
「吸込んだ外気を吸気ファン６６とライトガイドユニット１０２の間に配置した一体形成された吸気整流板１０５により各液晶ライトバルブブロック方向へ少なくとも３箇所以上の流路分岐を、そして吐出口に対して直角方向に複数の流路分岐を行う。」（１１頁右下欄１〜６行）「吸気整流板１０５の第１実施例は第２２図に示すように、・・・プラスチック射出成形が容易なように円筒形体６６の上でその上面６６ａには３箇所の液晶パネルブロック１１５に向けた吐出口１１６，吐出口１１７，吐出口１１８を３箇所の液晶ライトバルブブロック１１５の下方位置に設け、液晶ライトバルブ７ｃ（７ａ，７ｂ）を偏光板１１２のすき間にそって上方まで均一に流れるように曲線と直線を組合せた分岐盤１１９を複数個設け、ケース内全体の流路の活性化をはかるために円筒形体側面にも複数個の吐出口１２０を設けている。」（１２頁左上欄１２〜１９行）と記載されている。
　又、図１５には、吸気ファンを配した吸気整流板１０５の上方の吐出口１１６の上側に、液晶ライトバルブ７ｃを挟んで偏光板１１２が間隙を設けて配置されたものが示され、図２２には、吸気整流板１０５の吐出口１１６，１１７，１１８と分岐盤１１９の配置が示されている。
　
４−３．対比・判断
　本件の請求項１に係る発明（以下、「本件発明１」という。）と甲第１号証ないし甲第３号証記載の各発明とを比較すると、上記甲各号証に記載のものは、いずれも、液晶パネルと偏光板を冷却するために導風手段（本件発明１の「第１案内板」に相当するもの、甲第１号証では「漏斗状の導風板」、甲第２号証では「導風構造」、甲第３号証では「分岐盤」）を有するものである点で本件発明１と共通するが、本件発明１は、第１の案内板により導かれた冷却風を上記液晶パネルと上記偏光板とに分配するための分配案内板を備え、上記分配案内板によって該分配案内板真下に強い風速の冷却風を形成し、該冷却風を上記分配案内板下流に設けられた上記偏光板に当てる、のに対し、甲各号証には、このような構成が備わっていない点で相違する。
　そして、本件発明１は、上記相違点の構成を有することにより、各吹き出し口から吹き出される風量を、発熱の大きな部品により多く割り当てる等の細かい配慮ができる等、格別の効果を奏するものと認められる。
　したがって、本件発明１は、甲第１号証ないし甲第３号証に記載された発明に基づいて当業者が容易に発明をすることができたものではなく、また、甲第３号証に記載された発明であるともすることはできない。　
　又、請求項２に係る発明は、請求項１の構成を全て引用し、さらに、分配案内板を設ける箇所を特定したものであるから、本件発明１に対すると同様の理由で、甲第１号証ないし甲第３号証に記載された発明に基づいて当業者が容易に発明をすることができたものではなく、また、甲第３号証に記載された発明であるともすることはできない。　
　
５．むすび
　以上のとおり、特許異議申立の理由及び証拠によっては、本件請求項１及び請求項２に係る発明の特許を取り消すことはできない。
　又、他に本件特許を取り消すべき理由を発見しない。 
　よって、結論のとおり決定する。
【異議決定日】
平成１４年１月７日（２００２．１．７）
【訂正の要旨】
　訂正の要旨
　ａ．特許明細書の特許請求の範囲の【請求項１】の記載を以下の通り訂正する。
「光源側からの光を偏光板と液晶パネルに入射させ画像表示を行う投射型画像表示装置において、上記液晶パネルと上記偏光板を互いに離間させて配し、冷却ファンからの冷却風を上記液晶パネルと上記偏光板の方向に導く第１の案内板と、該第１の案内板により導かれた冷却風の吹き出し口に、該第１の案内板により導かれた冷却風を上記液晶パネルと上記偏光板とに分配するための分配案内板を備え、上記分配案内板によって該分配案内板真下に強い風速の冷却風を形成し、該冷却風を上記分配案内板下流に設けられた上記偏光板に当てるように構成したことを特徴とする投射型画像表示装置。」
　ｂ．特許明細書の【０００９】（特許公報第２頁右欄３０行〜３８行）の記載を、以下の通り訂正する。
「本発明は、光源側からの光を偏光板と液晶パネルに入射させ画像表示を行う投射型画像表示装置において、上記液晶パネルと上記偏光板を互いに離間させて配し、冷却ファンからの冷却風を上記液晶パネルと上記偏光板の方向に導く第１の案内板と、該第１の案内板により導かれた冷却風の吹き出し口に、該第１の案内板により導かれた冷却風を上記液晶パネルと上記偏光板とに分配するための分配案内板を備え、上記分配案内板によって該分配案内板真下に強い風速の冷却風を形成し、該冷却風を上記分配案内板下流に設けられた上記偏光板に当てる構成とする。」
（５４）【発明の名称】
投射型画像表示装置
（５７）【特許請求の範囲】
　【請求項１】
　光源側からの光を偏光板と液晶パネルに入射させ画像表示を行う投射型画像表示装置において、
　上記液晶パネルと上記偏光板を互いに離間させて配し、
　
冷却ファンからの冷却風を上記液晶パネルと上記偏光板の方向に導く第１の案内板と、
　
該第１の案内板により導かれた
該第１の案内板により導かれた冷却風を上記液晶パネルと上記偏光板とに
　上記
分配
分配
分配
　【請求項２】
　上記分配案内板は、Ｒ，Ｇ，Ｂに対応した液晶パネル及び偏光板のうちの少なくともいずれか１つに設けられる請求項１に記載の投射型画像表示装置。
【発明の詳細な説明】
　【産業上の利用分野】
　本発明はパソコンからの出力信号やＣＤ・ビデオ等の映像をスクリ−ン等に拡大投影する画像表示装置に関し、詳しくは該画像表示装置の冷却装置に関する。
　【従来の技術】
　従来の投射型画像表示装置について図４、及び図５を用いて説明する。この種の投射型画像表示装置には、赤色、緑色、青色（以下Ｒ、Ｇ、Ｂと称す）の３つの液晶パネル３Ｒ、３Ｇ、３Ｂを用いたものがある。かかる投射型画像表示装置は、光Ｌを発する光源１と、光ＬをＲ、Ｇ、Ｂの各成分ＬＲ、ＬＧ、ＬＢに分解する反射系１０と、ＲＧＢの各成分ＬＲ、ＬＧ、ＬＢのうち、１成分のみが入射される３つの液晶パネル３Ｒ、３Ｇ、３Ｂを通過した各成分ＬＲ、ＬＧ、ＬＢを重畳して図示しないスクリ−ンに、拡大投影する拡大投射用レンズ系２０と、液晶パネル３Ｒ、３Ｇ、３Ｂを冷却する冷却ファン４と、これらを収納するキャビネット５とを有している。
　反射系１０は図４に示すように、成分ＬＲ，ＬＧのみを通過させる第１のダイクロックミラ−１１１と、成分ＬＧのみを通過させる第２のダイクロイックミラ−１１２と、成分ＬＢのみ通過させる第３のダイクロイックミラ−１１３と、成分ＬＲ、ＬＢのみを通過させる第４のダイクロイックミラ−１１４と、入射された全ての成分を反射させる第１から第３の全反射ミラ−１０１〜１０３とを有している。なお、図４に示す６は赤外、紫外遮断フィルタ−である。
　成分ＬＧに対応した画像が表示される液晶パネル３Ｇには、第１のダイクロックミラ−１１１と第２のダイクロイックミラ−１１２とを通過した成分ＬＧが入射される。また、成分ＬＲに対応した画像が表示される液晶パネル３Ｒには、第１のダイクロックミラ−１１１を通過し、第２のダイクロイックミラ−１１２によって、選択的に反射された成分ＬＲが入射される。さらに、成分ＬＢに対応した画像が表示される液晶パネル３Ｂには、第１のダイクロックミラ−１１１で選択的に反射され、かつ第２の全反射身ミラ−１０２で反射された成分ＬＢが入射される。液晶パネル３Ｂを通過した成分ＬＢ及び液晶パネル３Ｒを通過した成分ＬＲは、第３のダイクロイックミラ−１１３に入射される。また、液晶パネル３Ｇを通過した成分ＬＧは、第３の全反射ミラ−１０３を介して第４のダイクロイックミラ−１１４に入射される。この第４のダイクロイックミラー１１４には、前記第３のダイクロイックミラ−１１３に入射された成分ＬＲ、ＬＢも入射されているので、第４のダイクロイックミラ−１１４において各成分ＬＲ、ＬＧ、ＬＢが重畳され、拡大投射レンズ２０を介してスクリ−ンに投影される。
　光源１には高輝度のメタルハライドランプが使用されるため、キャビネット内は高温になる。また、入射側偏光板２Ｒ、２Ｇ、２Ｂでは、Ｓ波またはＰ波のいづれか一方の光成分を通過させることから、通過しない光による発熱が発生する。さらに、液晶パネル３Ｒ、３Ｇ、３Ｂでは通過する光成分ＬＲ、ＬＧ、ＬＢにより発熱する。これらの冷却は冷却ファン４により行われるが、該冷却の様子を液晶パネル３Ｒまわりをを取り上げてさらに詳述する。
　図５に示すように、液晶パネル３Ｒの光源側には、コンデンサ−レンズ６Ｒと入射側偏光板２Ｒとが設けられている。一方液晶パネル３Ｒの後側には、出射側偏光板７Ｒが前記液晶パネルと一体に設けられている。さらに出射側偏光板７Ｒの後方には、透明な導風板８が設けられている。該液晶パネルまわりのそれぞれの部品間には、冷却ファン４からの冷却風Ｗが通過できる所定の間隔をもって構成されている。したがって、入射側偏光板２Ｒや液晶パネル３Ｒに発生する熱は、該冷却風Ｗによって放熱することができる。
　【発明が解決しようとする課題】
　しかしながら、上述した投射型画像表示装置は各部品間を通る冷却風Ｗの風量配分については考慮されていない。各構成部品間を通過する風量は、各部品間の間隔とその流路表面凹凸などによる流路抵抗により自動的に決まるため、冷却風Ｗの配分ができないのが現状である。液晶パネル３Ｒと偏光板２Ｒで発生する熱量は、一般に光源光の半分を遮断する偏光板の方が大きく、両者の発生熱量は異なるのが普通である。従って、入射偏光板２Ｒの両面を通過する冷却風Ｗの流量は、液晶パネル３Ｒの両面を通過する流量より、大きくなるよう設定することが望ましい。従来、組立て後の液晶パネルの位置調整などのために、部品間の間隔だけで風量を調整することは行わないのが実情である。風量の必要でない個所に余分な風量を与えることは、全体の総風量を上げることになり、ファンの大型化、消費電力の増大、騒音の増加等の性能劣化となる。
　本発明は、液晶パネル部の冷却風の効率的な配分だけでなく、ファン中心に近い吹き出し口の風量増加や、液晶パネルを冷却した冷却風を再び集めて、他の発熱部の冷却に適用する方法や、偏光装置などの冷却方法、吹き出し口の効率的な吹き出し形状など、投射型画像表示装置の冷却風吸気部の冷却ファンユニット全般の発明に関するもので、その課題は、投射型画像表示装置の小型化、低消費電力化、低騒音化である。
　【課題を解決するための手段】
　本発明は、光源側からの光を偏光板と液晶パネルに入射させ画像表示を行う投射型画像表示装置において、上記液晶パネルと上記偏光板を互いに離間させて配し、
冷却ファンから冷却風を上記液晶パネルと上記偏光板の方向に導く第１の案内板と、該第１の案内板により導かれた
該第１の案四板により導かれた冷却風を上記液晶パネルと上記偏光板とに
分配
分配
分配
　【作用】
　分配案内板により該案内板の真下に強い風速の冷却風が形成されるため、上記案内板の下流側に設けられた偏光板に上記冷却風が送風される。
　【実施例】
　以下に、本発明の実施例を図面にもとづいて説明する。先ず装置全体構成について図３を用いて説明する。図３は本発明投射型画像表示装置の一実施例を示す概要構成図である。分かり易くするために必要最低限の部品構成を示している。１はメタルハロイドランプの光源、１１は偏光装置、１２はコ−ルドフィルタ、１３、１４、１５、１６は分離または合成ダイクロイックミラ−、１７、１８は全反射ミラ−である。光の３原色に対応するＲＧＢ用液晶パネル３Ｒ、３Ｇ、３Ｂ、及び入射側偏光板２Ｒ、２Ｇ、２Ｂがそれぞれ所定のいちに構成されている。２０は投射レンズである。４は吸気用冷却ファン、１９はダクトであり、該２部品により吸気用冷却ファンユニットと称している。２１は映像音声回路２２は光源用電源回路である。２３はダクト及び排気ファンからなる排気用冷却ファンユニットである。３８は本装置のシ−ルドケ−スである。尚、図３は装置の裏側すなわち冷却ファンのある側から見た構成図であり、ダクト１９の反対側にはほぼ同じ形状の分離合成ユニットが一体に構成されている。
　以上の構成からなる本発明投射型画像表示装置において、光源１を出た光Ｌは偏光装置１１を通過するが、所定の光成分Ｐ（Ｓ）波のみ通過する。さらにコ−ルドフィルタ１２により可視光以外の赤外線や紫外線がカットされ、ダイクロイックミラ−１３と１４に入射すれ。それぞれＲＧＢに対応した色の波長に分離され、各入射偏光板２及び液晶パネル３に入り、それぞれ変調された光は合成系ダイクロイックミラ−１５、１６により合成され、投射レンズ２０により図示しないスクリ−ンなどに拡大投射される。方、吸気用冷却ファン４は外気から吸気した冷却風により、ＲＧＢのそれぞれの吹き出し口２４から、それぞれの偏光板２と液晶パネル３を冷却するようになっている。
　次に図１、図２を用いて本発明装置の吸気用冷却ファンユニットの、前記した第１の特徴について詳述する。図１は図３の冷却ファンユニットのダクト１９を詳述した平面図である。図２は図１のＡ−Ａ断面図である。図１、図２において、ＲＧＢの吹き出し口２４には、冷却ファン４の回転方向２５に相対抗するように第１の案内板２６が連続して構成されている。該第１の案内板の高さは、ダクト１９を形造るリブ１９ａと同じ高さに構成される。Ｂの吹き出し口２４Ｂには、前記第１の案内２６に平行に第２の案内板３０（分配案内板）が構成される。該分配案内板３０の高さは、前記第１の案内板より低く設定される。３１はダクト内の仕切りである。３２は集風案内板である。該仕切り３１及び集風案内板３２の高さは、リブ１９ａと同じ高さに設けられる。３３は冷却ファン４からの冷却風を通す穴３３ａを設けたカバ−である。該カバ−により冷却ファンユニット１９からの冷却風は、ＲＧＢの各吹き出し口２４と、吹き出し口２７、２８、２９の６流路からユニット外に吹き出すようになっている。
　以上の構成からなる本発明冷却ファンユニットおいて、まず第１の案内板２６は、冷却ファン４により吹き出された冷却風Ｗを、図１の破線でしめすＷ１〜Ｗ３ように集める作用をする。しかし、該案内板２６だけの場合には、集められた冷却風Ｗは第１の案内板直下が最も強く、これから離れるに従い弱くなる。特に、冷却ファン４の中心近くに構成される吹き出し口２４Ｂでは、この傾向が顕著な現象としてあらわれる。従って、該案内板２６の直下に位置する液晶パネル３Ｂの風速は十分な風速を得られるが、これから離れる偏光板２Ｂの冷却風は十分でない。
　従って、該吹き出し口２４Ｂに分配案内板３０を構成すると、図２に示すように分配案内板３０での新たな冷却風Ｗ０が得られ、この直下に位置する偏光板２Ｂの冷却効率が向上する。該関係を図６、図７に判り易く図解した。図６は第１の案内板２６だけが構成された場合の、その直下の風速分布を示したものである。冷却ファン４による冷却風Ｗ１は第１の案内板２６に当たり、その方向を吹き出し口２４Ｂ方向に変えるが、吹き出し口開口幅での風速分布を見ると、図６に示すように第１の案内板２６の真下が最も強い。
　図７は第１の案内板２６と分配案内板３０を同時に構成した場合の風速分布である。図７に示すように分配案内板３０の作用により、該分配案内板真下で強い風速Ｗ０が新たに得られ、グラフに示すような風速分布となる。従って、分配案内板３０の下に構成される偏光板の冷却が促進され、液晶パネル、偏光板ともに効率よく冷却することができる。
　図７に示す第１の案内板２６直下の風速と分配案内板３０直下の風速との大きさは、分配案内板の高さｈにより設定することができる。
　本発明装置では分配案内板をＲＧＢのうち、Ｂ部の吹き出し口にのみ、用いた場合を開示したが、配分が必要であれば当然Ｂ部以外の吹き出し口に適用できることは言うまでもない。因に、本実施例でＢ部のみに分配案内板を用いた理由は、以下の理由によるものである。すなわち、本発明投射画像装置では装置全体の小型化を図るために、ＲＧＢの吹き出し口を極力冷却ファン４の投影面積内に収めるように設計した。このために、ＲＧＢに吹き込まれる冷却風のうち、ファン中心に近いＢ部の風量が低下したのである。冷却ファンから出る風速の分布を測定すると図８のようになる。図８に示すように軸流ファンでは、ファン中心に位置するモ−タ４ａのために、中心部での風速は小さくなる傾向がある。
　本発明の第２の特徴は集風案内板３２にある。前記したしょうにファン中心位置にある吹き出し口２４Ｂの風量は、他の吹き出し口に比べ小さい。そこで、集風案内板３２により、実質的にあまり利用されていない領域３４に吹き出される風量を、吹き出し口２４Ｂに集めるようにしたものである。集風案内板３２の先端３２ａの位置は、吹き出し口２４Ｂの間口の大きさＳの約１／３程度の位置にあることが望ましい。これにより、未利用領域３４からの冷却風を、吹き出し口の中でも、最も風量の小さいファン中心側に集めることができるばかりでなく、本来の冷却風Ｗ１の流れに与える影響も小さい。
　本発明の第３の特徴について実施例図９、図１０を用いて説明する。図９は図２の分離合成ユニット側から見た図である。図１０は図３のＤＤ断面図である。第３の特徴を説明する構成部品のみ示してある。図９、図１０において、分離合成ユニット３６の上面には、ＲＧＢに対応してそれぞれ第２の吹き出し口３５が構成されている。３７は分離合成ユニット３６の上に、第２の吹き出し口３５を囲むように構成した回収案内板である。３８は雑音カットのためのシ−ルドケ−ス、３９はランプ電源回路２２上に構成された半導体である。
　以上の構成からなる本発明装置の図１０において、ファン４から吹き出された冷却風Ｗは、ダクト１９から吹き出し口２４Ｂを経て、分離合成内に入り液晶パネル３Ｂ等を冷却する。その後、第２の吹き出し口３５Ｂから分離合成ユニット３６の外部に流れ出る。流れ出た冷却風はシ−ルドケ−ス３８と回収案内板３７に囲まれた隙間４０に流れ込み、ランプ電源回路の半導体３９に一体に構成されたヒ−トシンク４１から熱を奪う作用を行う。本発明の第３の特徴は一度冷却に用いた冷却風を回収して、他の発熱部品の冷却に再び用いることにある。図９に示すように、本実施例では第２の吹き出し口３５Ｂ、３５Ｇの２つを回収案内板３７で囲ったが、当然１つでも同様の作用が行えるものである。又回収案内板３７はシ−ルドケ−ス３８と分離合成ユニット３６の間に隙間４０を構成し、第２の吹き出し口３５から流れ出た冷却風を流す流路を構成したが、シ−ルドケ−ス３８を流路の一部にすることなく、回収案内板３７にカバ−を一体に構成して、流路を独立に形成しても本第３の特徴を達成できるものである。
　次に本発明の第４の特徴について図１１を用いて説明する。図１１は図１のＣＣ断面概要図である。２９ａは吹き出し口２９の先端部に、冷却風の流れを変えるために構成された導風部である。カバ−３３側は出口に近づくに従い厚肉となり、ダクト側では出口先端で面取りを行っている。冷却ファン４により発生した冷却風は、液晶パネル３Ｒ及び偏光板２Ｒ等をを冷却する流れＷ７ならびに、吹き出し口２９に向かう流れＷ８が発生する。冷却風Ｗ８は吹き出し口２９で、勾配と面取りを有した導風部２９ａにより、その流れの方向が変えられる。該吹き出し口２９は図３に示すように、本実施例ではランプ電源回路２２と対抗しており、該吹き出し口２９から流れ出る冷却風はランプ電源回路２２の冷却に適用される。該ダクトの取付け位置は、光源電源回路２２の下の方に位置しており、前記導風部２９ａの作用により、吹き出し口２９から流れ出た冷却風は、その方向を変えてランプ電源回路の方向に流れるようになる。
　次に本発明の第５の特徴について図１２を用いて説明する。図１２は図１と同じダクト１９を示した平面図である。本発明冷却ユニットの特徴は、吸気した外気を６つの吹き出し口から流れ出るようにしたものである。該流れをＷ１〜Ｗ６で示した。それぞれＲＧＢに対応する吹き出し口２４と他の吹き出し口２７、２８、２９の６流路から吹き出るようになっている。吹き出し口２７は映像音声回路（図３の２１）の冷却、吹き出し口２８は偏光装置１１の冷却、２９はランプ電源回路（図３の２２）の冷却に用いられる。本発明の吸気用冷却ファンユニットは、図示しないファン４とカバ−３３とダクト１９で構成され、該構成により前記６流路の冷却風の流れが生まれるようになっている。
　該流路のうち、吹き出し口２８から吹き出される冷却風Ｗ６は、前記したように偏光装置１１の冷却に用いるが、本装置ではさらに光源の冷却に再利用している。該冷却風Ｗ６の流れについて、図１２、図１３を用いて詳述する。図１３は図１２のＥＥ断面である。本ダクト１９とほぼ同じ形状の分離合成ユニット３６も同時に示した。１１は前記した偏光装置、４２は偏光装置を両側から挟むように構成された遮熱板である。該遮熱板４２は偏光装置１１で反射される光を遮断する作用があり、合成分離ユニットケ−ス３６ａの温度上昇を制限する。４３はダクトに開けられた通風孔である。吹き出し口２８を通る冷却風Ｗ６は、通風孔４３を抜けて分離合成ユニット３６内に冷却風Ｗ６１、Ｗ６２のように流れ込む。このうち通風孔４３ａから流れる冷却風Ｗ６１は、分離合成ユニット内偏光装置１１の出射側１１ａを冷却し、また遮熱板４２と分離合成ユニットケ−ス３６ａの隙間にも流れ込む。その後該冷却風は分離合成ユニットの開口部３６ｂを、冷却風Ｗ６０のように抜けて光源に向かう。
　一方、通風孔４３ｂから抜けた冷却風Ｗ６２は、偏光装置の入射側１１ｂを冷却し、冷却風Ｗ６０のように開口部３６ｂら光源に向かう。前記冷却風Ｗ６は偏光装置を冷却するだけでなく、光の発生元である光源の冷却にも用いられるのである。
　本発明の他の実施例について図１４にもとづき説明する。図１４は本発明冷却ファンユニットの要部断面図である。本実施例の場合には分配案内板３０を二重に用いている。冷却ファン４により発生した冷却風は破線で示すように、それぞれの分配案内板で分離され、コンデンサレンズ６、入射側偏光板２、液晶パネル３等で造られる流路に流れるようになる。構成される分離合成ユニット内の部品数に見合う分配案内板３０の適用により、それぞれの部品で構成される流路に冷却風が分離されて所定の冷却が行える。
　図１５は本発明の他の実施例である。前記した分配案板を、偏光板２を支持する支持枠２ａの一部を、ダクト内に延長して適用した例である。図１５は同様に第１の案内板２６を、分離合成内の部品（本実施例の場合には液晶パネルの支持枠３ａ）によりダクト内に延長して適用できることも容易である。
　【発明の効果】以上述べたように、本発明によれば、冷却ファンからの冷却風の吹き出し口に、離間配置された液晶パネル及び偏光板に冷却風を分配する分配案内板を配置する。そして、この分配案内板を配置することにより形成される下流側への強い風速の冷却風が、上記案内板の下流側に設けられた偏光板に送風される。従って、光源から出射される光エネルギーにより温度上昇する液晶パネルと偏光板それぞれを、分配された風により効率良く冷却することが可能となる、などの効果を得ることができる。
　以上詳述したように、本発明投射型画像表示装置は冷却風の効率的な適用により、装置全体の大きさをコンパクトに設計でき、冷却ファンを小さくして、消費電力を節約できるばかりでなく、風量の小さな冷却ファンが適用できるから、騒音に対して極めて有利である。本発明投射型画像表示装置は、小型で低消費電力でり、且つ低騒音であることから、商品性は極めて高いものである。
【図面の簡単な説明】
　【図１】本発明装置の一実施例を示す冷却ファンユニットの概要構成図。
　【図２】図１のＡＡ断面図。
　【図３】本発明の一実施例を示す投射型画像表示装置の概要構成図。
　【図４】従来例を示す投射型画像表示装置の概要構成図。
　【図５】従来例を示す図４のＲ部拡大要部断面図。
　【図６】本発明冷却ファンユニットの原理説明図。
　【図７】本発明冷却ファンユニットの原理説明図。
　【図８】冷却ファンの風速分布を示す原理図。
　【図９】本発明の他の実施例を示す分離合成ユニットの平面図。
　【図１０】本発明の他の実施例を示す図３のＤＤ断面図。
　【図１１】本発明の他の実施例を示す図１のＣＣ断面図。
　【図１２】本発明の他の実施例を示す冷却ファンユニットのダクト部平面図。
　【図１３】本発明の他の実施例を示す図１２のＥＥ断面図。
　【図１４】本発明の他の実施例を示す要部断面図。
　【図１５】本発明の他の実施例を示す要部断面図。
　【図１６】本発明の他の実施例を示す要部断面図。
　【符号の説明】
１光源　　　　　　　　　１１偏光装置　　　　　　　　１２コ−ルドミラ−　　　　　　　　４冷却ファン　　　　２４、２７、２８，２９吹き出し口　　　　　　２６第１の案内板　　　　　　　　３０分配案内板　　　　　　　　３２集風案内板　　　　　　　　３７回収案内板